(57)【要約】【課題】容易に物品の包装をすることが可能な包装部材を提供すること。【解決手段】物品を包装するための包装部材１００であって、物品１０１を包むためのシート状のシート部１０と、シート部１０に形成されたスリット２１、６１、７１と、シート部１０に形成された、スリット２１、６１、７１に差し込む差込部３０、４０、５０とを備え、スリット２１、６１、７１に差込部３０、４０、５０を差し込むことによって、シート部１０の物品１０１を包んだ状態が保持される、包装部材１００である。【選択図】図１
2010052808.tif 000002
【特許請求の範囲】
【請求項１】
物品を包装するための包装部材であって、
前記物品を包むためのシート部と、
前記シート部に形成されたスリットと、
前記シート部に形成された、前記スリットに差し込む差込部とを備え、
前記スリットに前記差込部を差し込むことによって、前記シート部の前記物品を包んだ状態が保持される、包装部材。
【請求項２】
前記差込部は、
前記スリットに差し込まれる頭部と
前記頭部と前記頭部の後端に設けられた前記頭部よりも幅の小さい首部とを有し、
前記スリットに前記差込部を差し込んだ状態において、前記シート部の前記スリットを挟む２つの部分のうち、前記首部側に配置されている部分に形成された、前記頭部が前記スリットから抜けることを防止するための抜け防止部とを備えた、請求項１記載の包装部材。
【請求項３】
前記抜け防止部は、
前記スリットに沿って、前記首部側に配置されている部分の一部が切り欠かれて形成された切り欠き部と、
前記スリットに垂直に、その両端から前記切り欠き部が形成されている側に設けられた切り込みによって、前記切り欠き部の両端に形成された２つの干渉部とを有し、
前記２つの干渉部の間隔は、前記首部の幅よりも大きく、且つ前記頭部の幅よりも小さく、
前記頭部が前記２つの干渉部に干渉され、前記抜けることが防止される、請求項２記載の包装部材。
【請求項４】
前記差込部は、矢印状又はキノコ状である、請求項１〜３のいずれかに記載の包装部材。
【請求項５】
前記頭部は、前記首部側から先端に向かって幅が狭くなる多角形状であり、
前記首部は、長方形状又は正方形状であり、
前記首部は、前記頭部の底辺の中央に、その辺に対して実質上垂直に接続されており、
前記底辺の両端部分が、前記２つの干渉部に干渉されて、前記抜けることが防止される、請求項３記載の包装部材。
【請求項６】
前記差込部は、前記シート部に設けられた切り込みから形成されており、
前記スリットに前記差込部を差し込んでいない状態において、前記差込部は、前記頭部が前記シート部の中央側を向くように形成されている、請求項２〜５のいずれかに記載の包装部材。
【請求項７】
前記差込部は、前記シート部に設けられた切り込みから形成されており、
前記首部の根本の両端から前記スリットと平行になるように、前記切り込みを延長して形成された第１切り込み延長部を備えた、請求項２〜６のいずれかに記載の包装部材。
【請求項８】
前記第１切り込み延長部の両端から前記首部側に、前記切り込みを更に延長して形成された第２切り込み延長部を備えた、請求項７記載の包装部材。
【請求項９】
前記シート部は、
前記物品が載置される長方形状の載置部と、
前記長方形状の載置部の２つの長辺のうち一方の長辺に接続して設けられた第１覆い部と、
前記長方形状の載置部の２つの長辺のうち他方の長辺に接続して設けられた第２覆い部と、
前記長方形状の載置部の２つの短辺のうち一方の短辺に接続して設けられた第３覆い部と、
前記長方形状の載置部の２つの短辺のうち他方の短辺に接続して設けられた第４覆い部とを有し、
前記スリットと前記差込部の組は、少なくとも３組設けられており、
第１組の前記スリットと前記差込部は、前記スリットが前記第１覆い部に、前記差込部が前記第２覆い部に設けられており、
第２組の前記スリットと前記差込部は、前記スリットが前記第２覆い部に、前記差込部が前記第３覆い部に設けられており、
第３組の前記スリットと前記差込部は、前記スリットが前記第２覆い部に、前記差込部が前記第４覆い部に設けられている、請求項１〜８のいずれかに記載の包装部材。
【請求項１０】
前記物品を包んだ状態で、前記包装部材よりも破れやすい袋状部材に収納される、請求項１〜９のいずれかに記載の包装部材。
【発明の詳細な説明】
【技術分野】
【０００１】
本発明は、包装部材に関する。
【背景技術】
【０００２】
画像形成装置の現像に使用するトナーが消費されると、ユーザーによって装置内の古いトナーカートリッジが、新しいトナーカートリッジに交換される。ところで、トナーカートリッジは、その輸送の際にトナーが水分を吸収した場合、現像剤粒子の表面抵抗が低下し、トナーの保持すべき電荷量が維持できずに現像効率が低下するという問題が発生する場合がある。このような水分の吸収を防ぐことを目的として、トナーカートリッジは、例えばポリエチレン製の袋に密封されて輸送されていた。
【０００３】
しかしながら、トナーカートリッジの表面には突起等も形成されているため、輸送の際の振動等によって袋が破れる場合があった。
【０００４】
そこで、図１８（ａ）〜（ｄ）に示すように梱包が行われていた。図１８（ａ）、（ｂ）に示すように、トナーカートリッジ３０００をプラスチックフィルムなどの包装部材３００１で覆い、図１８（ｃ）のようにテープ３００２で包装部材３００１をとめることによりトナーカートリッジ３０００を覆った状態が保持される。最後に、図１８（ｄ）に示すように、包装部材３００１で包んだトナーカートリッジ３０００は、袋３００３に収納され、密閉された後、外箱に入れられて梱包が終了する。
【０００５】
このように梱包することによって、突起によって袋が破れにくくなり、密閉性をより保つことが出来る。
【発明の開示】
【発明が解決しようとする課題】
【０００６】
しかしながら、包装部材３００１がトナーカートリッジ３０００を覆った状態を保持するため、袋３００３に入れる前に、作業者がテープ３００２などを貼る必要があり、作業に手間がかかっていた。又、テープではなくゴムやステープラーでとめることも考えられるが、いずれにしろ手間がかかるものであった。
【０００７】
尚、上記では、包装する物品としてトナーカートリッジを例に挙げて説明したが、トナーカートリッジに限らず、例えば百貨店などで購入した物品によって袋が破れないようにプラスチックフィルムで包装してもよく、そのような場合にも同様の課題が生じる。
【０００８】
本発明は、従来の包装部材の課題を考慮し、容易に物品の包装をすることが可能な包装部材を提供することを目的とする。
【課題を解決するための手段】
【０００９】
上記目的を達成するために、第１の本発明は、
物品を包装するための包装部材であって、
前記物品を包むためのシート部と、
前記シート部に形成されたスリットと、
前記シート部に形成された、前記スリットに差し込む差込部とを備え、
前記スリットに前記差込部を差し込むことによって、前記シート部の前記物品を包んだ状態が保持される、包装部材である。
【００１０】
また、第２の本発明は、
前記差込部は、
前記スリットに差し込まれる頭部と
前記頭部と前記頭部の後端に設けられた前記頭部よりも幅の小さい首部とを有し、
前記スリットに前記差込部を差し込んだ状態において、前記シート部の前記スリットを挟む２つの部分のうち、前記首部側に配置されている部分に形成された、前記頭部が前記スリットから抜けることを防止するための抜け防止部とを備えた、第１の本発明の包装部材である。
【００１１】
また、第３の本発明は、
前記抜け防止部は、
前記スリットに沿って、前記首部側に配置されている部分の一部が切り欠かれて形成された切り欠き部と、
前記スリットに垂直に、その両端から前記切り欠き部が形成されている側に設けられた切り込みによって、前記切り欠き部の両端に形成された２つの干渉部とを有し、
前記２つの干渉部の間隔は、前記首部の幅よりも大きく、且つ前記頭部の幅よりも小さく、
前記頭部が前記２つの干渉部に干渉され、前記抜けることが防止される、第２の本発明の包装部材である。
【００１２】
また、第４の本発明は、
前記差込部は、矢印状又はキノコ状である、第１〜３のいずれかの本発明の包装部材である。
【００１３】
また、第５の本発明は、
前記頭部は、前記首部側から先端に向かって幅が狭くなる多角形状であり、
前記首部は、長方形状又は正方形状であり、
前記首部は、前記頭部の底辺の中央に、その辺に対して実質上垂直に接続されており、
前記底辺の両端部分が、前記２つの干渉部に干渉されて、前記抜けることが防止される、第３の本発明の包装部材である。
【００１４】
また、第６の本発明は、
前記差込部は、前記シート部に設けられた切り込みから形成されており、
前記スリットに前記差込部を差し込んでいない状態において、前記差込部は、前記頭部が前記シート部の中央側を向くように形成されている、第２〜５のいずれかの本発明の包装部材である。
【００１５】
また、第７の本発明は、
前記差込部は、前記シート部に設けられた切り込みから形成されており、
前記首部の根本の両端から前記スリットと平行になるように、前記切り込みを延長して形成された第１切り込み延長部を備えた、第２〜６のいずれかの本発明の包装部材である。
【００１６】
また、第８の本発明は、
前記第１切り込み延長部の両端から前記首部側に、前記切り込みを更に延長して形成された第２切り込み延長部を備えた、第７の本発明の包装部材である。
【００１７】
また、第９の本発明は、
前記シート部は、
前記物品が載置される長方形状の載置部と、
前記長方形状の載置部の２つの長辺のうち一方の長辺に接続して設けられた第１覆い部と、
前記長方形状の載置部の２つの長辺のうち他方の長辺に接続して設けられた第２覆い部と、
前記長方形状の載置部の２つの短辺のうち一方の短辺に接続して設けられた第３覆い部と、
前記長方形状の載置部の２つの短辺のうち他方の短辺に接続して設けられた第４覆い部とを有し、
前記スリットと前記差込部の組は、少なくとも３組設けられており、
第１組の前記スリットと前記差込部は、前記スリットが前記第１覆い部に、前記差込部が前記第２覆い部に設けられており、
第２組の前記スリットと前記差込部は、前記スリットが前記第２覆い部に、前記差込部が前記第３覆い部に設けられており、
第３組の前記スリットと前記差込部は、前記スリットが前記第２覆い部に、前記差込部が前記第４覆い部に設けられている、第１〜８のいずれかの本発明の包装部材である。
【００１８】
また、第１０の本発明は、
前記物品を包んだ状態で、前記包装部材よりも弾力性の小さい袋状部材に収納される、第１〜９のいずれかの本発明の包装部材である。
【発明の効果】
【００１９】
本発明によれば、容易に物品の包装をすることが可能な包装部材を提供することが出来る。
【発明を実施するための最良の形態】
【００２０】
以下、本発明にかかる包装部材の一例について、図面を用いて説明する。
【００２１】
（実施の形態１）
図１は、本発明にかかる実施の形態１の包装部材１００の展開図である。本実施の形態の包装部材１００は、シート状の部材であるシート部１０から形成されており、シート部１０は、中央に設けられた物品が載置される長方形状の載置部１（図中点線参照）と、載置部１の各辺に載置部１に載置された物品を覆うための覆い部２、３、４、５によって構成されている。尚、包装部材１００は、ＰＥＴ（ポリエチレンテレフタレート）などを材料として形成された透明のフィルム部材である。
【００２２】
図１に示すように、この覆い部２及び覆い部４は、載置部１の対向する長辺１２、１４に設けられており、実質上台形状に形成されている。また、覆い部３及び覆い部５は、載置部１の対向する短辺１３、１５に設けられており、実質上台形状に形成されている。
【００２３】
この実質上台形状の覆い部２の、長辺１２と平行に形成されている端部２ａ近傍に、スリット形成部２０が設けられている。図２（ａ）は、覆い部２の拡大図である。図２（ａ）に示すように、スリット形成部２０は、端部２ａと平行に形成されたスリット２１と、スリット２１の端部２ａと反対側に、覆い部２がスリット２１に沿って切りかかれて形成された切り欠き部２３を有している。また、スリット２１の両端から切り欠き部２３側に、スリット２１と垂直に切り込み２２が形成されている。この切り欠き部２３と切り込み２２によって、２つの干渉部２４が形成される。尚、切り欠き部２３は斜線で示されている。
【００２４】
一方、覆い部２と対向する覆い部４には、長辺１４と平行に形成されている端部４ａ近傍に、上述したスリット２１に挿入するための差込部４０が設けられている。図２（ｂ）は、覆い部４の拡大図である。図２（ｂ）に示すように、差込部４０は、覆い部４に矢印形状の切り込みを入れることによって形成されており、その矢印が、シート部１０の中央側を向くように端部４ａに対して垂直に配置されている。また、差込部４０は、矢印の先端側の頭部４１と、頭部４１の後端に接続されている首部４２から構成されている。又、首部４２の根本から上記スリット２１と平行になるように、差込部４０を形成する切り込みから延長された第１切り込み延長部４３が設けられている。この第１切り込み延長部４３の両端から差込部４０側に、更に切り込みが延長された第２切り込み延長部４４が設けられている。
【００２５】
また、頭部４１は、先端４１ａの辺と底辺４１ｂが平行であり、底辺４１ｂから先端４１ａに向かって幅が狭くなる左右対称の６角形状であり、その底辺４１ｂの中央に首部４２が繋がっている。この底辺４１ｂが、本発明の首部の後端の一例に相当する。
【００２６】
尚、底辺４１ｂの長さ４１Ｌは、首部４２の幅４２Ｌよりも長くなっており、図２（ａ）に示すスリット２１の長さ２１Ｌよりも短くなっている。更に、スリット形成部２０の２つの干渉部２４の間隔は、切り欠き部２３のスリット２１に沿った長さ２３Ｌに相当するが、この２３Ｌは、図２（ｂ）の底辺４１ｂの長さ４１Ｌよりも短く、首部４２の幅４２Ｌよりも長くなっている。
【００２７】
また、図１及び図２（ｂ）に示すように、覆い部２の右端４ｂと左端４ｃの近傍には、それぞれスリット形成部６０とスリット形成部７０が設けられている。このスリット形成部６０には、覆い部４に切り込みを入れることによってスリット６１が形成されており、このスリット６１は端部４ａに対して垂直になるように設けられている。このスリット６１の右端４ｂの反対側には、覆い部４がスリット６１に沿って切りかかれて形成された切り欠き部６３が形成されている。また、スリット６１の両端から切り欠き部６３側に切り込み６２が形成されている。この切り欠き部６３と切り込み６２によって、２つの干渉部６４が形成されている。同様に、スリット形成部７０側にも、スリット７１と、左端４ｃの反対側に切り欠き部７３が形成されており、スリット７１の両端から切り欠き部７３側に切り込み７２が形成されている。この切り欠き部７３と切り込み７２によって、２つの干渉部７４が形成されている。
【００２８】
また、図１に示すように覆い部３には、短辺１３と平行に形成されている端部３ａ近傍に、上述したスリット７１に挿入するための差込部３０が設けられている。図２（ｃ）は、覆い部３の拡大図である。図２（ｃ）に示すように、差込部３０は、覆い部３に矢印形状の切り込みを入れることによって形成されており、その矢印が、シート部１０の中央側を向くように端部３ａに対して垂直に配置されている。また、差込部３０は、矢印の先端側の頭部３１と首部３２から構成されており、首部３２の根本から上記スリット７１と平行になるように、差込部３０を形成する切り込みが延長された第１切り込み延長部３３が設けられている。この第１切り込み延長部３３の両端から差込部３０側に、第１切り込み延長部３３と垂直に切り込みが更に延長された第２切り込み延長部３４が設けられている。また、頭部３１は、首部３２側から先端３１ａに向かって幅が狭くなる左右対称の台形状に形成されており、その底辺３１ｂに首部３２が繋がっている。
【００２９】
尚、底辺３１ｂの長さ３１Ｌは、首部３２の幅３２Ｌよりも長くなっており、図２（ｂ）に示すスリット７１の長さ７１Ｌよりも短くなっている。更に、２つの干渉部７４の間隔は、切り欠き部７３のスリット７１に沿った長さ７３Ｌに相当するが、この７３Ｌは、底辺３１ｂの長さ３１Ｌよりも短く、首部３２の幅３２Ｌよりも長くなっている。
【００３０】
尚、図２（ｄ）は、覆い部５の拡大図であり、覆い部５には、スリット６１に挿入するための差込部５０が、その矢印方向（図中先端５１ａ）がシート部１０の中央側を向くように覆い部３と同様に設けられている。又、頭部５１、首部５２、第１切り込み延長部５３、及び第２切り込み延長部５４も形成されている。尚、差込部３０と差込部５０は同一の形状であり、スリット６１、切り込み６２、及び切り欠き部６３の形状もスリット７１、切り込み７２、及び切り欠き部７３と同一である。すなわち、長さ６３Ｌは、長さ７３Ｌと同じであり、長さ６１Ｌも、長さ７１Ｌと同じ長さである。
【００３１】
尚、本発明の第１覆い部の一例は、本実施の形態の覆い部２に相当し、本発明の第２覆い部の一例は、本実施の形態の覆い部４に相当する。また、本発明の第３覆い部の一例は、本実施の形態の覆い部３に相当し、本発明の第４覆い部の一例は、本実施の形態の覆い部５に相当する。
【００３２】
又、本発明の第１組のスリットと差込部の一例は、本実施の形態のスリット２１と差込部４０に相当し、本発明の第２組のスリットと差込部の一例は、本実施の形態のスリット７１と差込部３０に相当し、本発明の第３組のスリットと差込部の一例は、本実施の形態のスリット６１と差込部５０に相当する。
【００３３】
次に、本実施の形態の包装部材１００によって物品を包装する動作について説明する。尚、以下の図において、例えば、覆い部４の下側に覆い部２が配置されている場合であっても、本実施の形態の包装部材１００は透明であるため、覆い部２は視認されるが、説明のため、他の構成の下側に配置されている構成については、点線で示されている。
【００３４】
図３に示すように、本実施の形態１の包装部材１００の載置部１に、包装される物品１０１が載置される。次に、物品１０１を覆うように覆い部２が矢印Ａ方向に曲げられ、続いて、覆い部４が矢印Ｂ方向に曲げられる。尚、シート部１０はこしがあるため、図１に示す長辺１２、１４及び短辺１３、１５において折り曲げられず、湾曲することになる。
【００３５】
図４（ａ）は、覆い部２の上に覆い部４を重ねた状態を示す図である。尚、説明のため、物品１０１は図示されていない。図４（ａ）に示すように、差込部４０の先端４１ａ側が覆い部４の面上より押し下げられ、その先端４１ａから差込部４０がスリット２１に差し込まれる。図４（ｂ）は、スリット２１に差込部４０が差し込まれた状態を示す図である。尚、図４（ａ）と図４（ｂ）では、視点が反対側に位置している。また、図４（ａ）に示すように、差込部４０を押し下げることによって切り欠き部分４５が形成されるが、この切り欠き部分４５は、図４（ｂ）では図示していない。同様に、差込部によって形成される切り欠き部分は、下記の図６においても説明のために省略している。
【００３６】
次に、覆い部３の差込部３０が、覆い部４のスリット７１に差し込まれる。図５は、差込部３０をスリット７１に差し込む動作を説明するための図である。図５に示すように、覆い部３が矢印Ｃ方向に曲げられる（図中一点鎖線参照）と共に、差込部３０の先端３１ａが覆い部３の面より押し出され、スリット７１に挿入される。差込部３０がスリット７１に差し込まれる方向が矢印Ｄで示されている。
【００３７】
最後に、図５と同様に、覆い部５の差込部５０が、覆い部４のスリット６１に差し込まれて、物品１０１の包装が完了する。図６は、本実施の形態の包装部材１００の包装状態を示す外観図である。尚、物品１０１がトナーカートリッジ等であり、水分の吸収を防ぐ必要がある場合には、従来の図１８（ｄ）で示したようなポリエチレン製の袋３００３に入れられ、密閉される。そして、袋３００３に入れられた物品１０１を図示しない外箱（ダンボール等）に入れ、梱包が完成する。
【００３８】
以上のように、本実施の形態の包装部材１００は、各差込部を各スリットに差し込むだけで容易に物品を包装することが出来るものである。
【００３９】
又、本実施の形態の包装部材１００は、スリットから差込部が容易に抜けることを防止することが出来る。以下に、この点について説明する。尚、スリット形成部２０及び差込部４０と、スリット形成部７０及び差込部３０と、スリット形成部６０及び差込部５０の組は、同様の構成であるため、スリット形成部２０と差込部４０を例に挙げて説明する。
【００４０】
図７（ａ）は、図６のＥＥ´間の断面模式図である。図７（ｂ）は、（ａ）のＳ部拡大図である。尚、覆い部２、４は、シート状の部材であるため、厚みが薄くなっているが、図７及び下記図９では、説明のため覆い部２、４の厚みを増加して示している。又、図７（ｂ）に示すように、覆い部２に設けられている干渉部２４は、覆い部２が湾曲しているため、素材の弾性力によって湾曲面から少し起立している。
【００４１】
又、図８（ａ）は、差込部４０をスリット２１に差し込んだ状態の双方の関係を示す図である。尚、覆い部４の上側に覆い部２が配置されているが、図８では、説明のために、覆い部４の面については差込部４０、第１切り込み延長部４３、及び第２切り込み延長部４４以外は図示されていない。
【００４２】
物品を包装した状態では、シート状部材の弾性力によって覆い部４と覆い部２は、図７（ａ）の矢印Ｆ方向に示すように、開く方向に力が働くことになる。この状態のスリット２１と差込部４０の位置関係が図８（ｂ）に示されている。覆い部４と覆い部２を矢印Ｆに従って開こうとした場合、差込部４０は、スリット２１に対して相対的に（ａ）の矢印Ｍ方向に移動することになり、差込部４０はスリット２１内により深く差し込まれることになる。そして、スリット２１と第１切り込み延長部４３の縁同士が当接し、開くことが抑制される。このように開く方向に力が働くと、差込部４０がスリット２１内により押し込まれるのは、差込部４０の頭部４１がシート部の中央側を向いているためである。
【００４３】
一方、図７（ａ）に示す矢印Ｇに従って、覆い部４と覆い部２を更に重ねる方向に押した場合のスリット２１と差込部４０の位置関係が図８（ｃ）に示されている。覆い部４と覆い部２を更に重ねようとした場合、差込部１０４０は、スリット１０２１に対して相対的に（ａ）の矢印Ｌ方向に移動することになり、差込部４０はスリット２１から抜ける方向に移動することになる。
【００４４】
ここで、干渉部２４は、覆い部２の湾曲によって面上から起立しており、２つの干渉部２４の間隔は、底辺４１ｂの長さ４１Ｌよりも短く、首部４２の幅４２Ｌよりも長くなっているため、差込部４０がスリット２１から抜ける方向に移動すると、首部４２が切り欠き部２３内に入り込み、頭部４１の底辺４１ｂが２つの干渉部２４の根本に引っかかる。そのため、差込部４０がスリット２１から抜けることが抑制される。
【００４５】
以上のように、本実施の形態の包装部材１００は、容易に包装することが出来、更に、その包装状態を保持することが出来る。
【００４６】
また、本実施の形態の包装部材１００では、ユーザーが簡易に包装部材１００を開くことが可能である。以下に、この点について説明する。尚、上記包装時の手順からは、差込部３０、５０をスリット６１、７１から抜いた後に、差込部４０をスリット２１から抜くことになるが、３組とも同様の動作を行えばよいため、差込部４０をスリット２１から抜く際の動作について説明する。
【００４７】
図９は、包装を解く際の動作を説明するための覆い部４と覆い部２の部分拡大図である。図１０は、差込部４０とスリット２１の位置関係を説明するための断面図である。尚、図１０は、図９のＮＮ´間の断面図である。差込部４０をスリット２１から抜く際には、図９、及び図１０に示すように端部４ａが上方に持ち上げられる。これによって、差込部４０はスリット２１の端部２ａ側の縁２１ａに当接することなる。この状態で差込部４０が引き上げられると、切り欠き部２３に首部４２が嵌らないため、容易にスリット２１から差込部４０を引き抜くことが出来る。
【００４８】
以上のように、本実施の形態の包装部材１００は、包装状態を保持出来るとともに、容易に包装を開き、物品を取り出すこともできる。
【００４９】
尚、本発明の抜け防止部の一例は、本実施の形態の切り欠き部２３及び干渉部２４、又は切り欠き部６３及び干渉部６４、又は切り欠き部７３又は干渉部７４に相当する。このうち、切り欠き部２３及び干渉部２４を例に挙げて説明すると、例えばスリット２１のみが設けられており、干渉部２４及び切り欠き部２３が設けられていない構成であってもよい。但し、上述したように、差込部４０がスリット２１から抜けることを抑制する点からは、干渉部２４及び切り欠き部２３が設けられた方がより好ましい。
【００５０】
又、本実施の形態では、例えば、覆い部４には、第２切り込み延長部４４が形成されているが、無くても良い。しかしながら、第２切り込み延長部４４が形成された方がより好ましく、差込部４０をスリット２１から引き抜く際に、首部４２の根本が回動し易くなるため、より引き抜きやすくなる（図９参照）。
【００５１】
また、第２切り込み延長部４４とともに、第１切り込み延長部４３も形成されていなくてもよいが、ユーザーが差込部４０を引き抜く際に容易になるという点からは、形成されていた方がより好ましい。
【００５２】
また、切り欠き部２３、干渉部２４、第２切り込み延長部４４、及び第１切り込み延長部４３が設けられておらず、スリット２１と差込部４０のみ形成されていてもよく、作業者がテープなどによってはらなくても物品の包装を行うことが可能になるという効果を発揮することが出来る。尚、上記では、差込部４０とスリット２１の組について説明したが、差込部３０とスリット７１、及び差込部５０とスリット６１の組についても同様である。
【００５３】
又、本実施の形態では、差込部４０は、覆い部４に入れられた切り込みによって形成されていたが、切り込みを設けず、別途用意された差込部４０を覆い部４に接着してもよい。
【００５４】
又、本実施の形態では、差込部４０の頭部４１が６角形状であり、差込部３０、５０の頭部３１、５１は台形状であるが、この形状に限らず、図１１（ａ）に示すように頭部８１が半円形状であるキノコ状の差込部８０であってもよいし、若しくは三角形状であってもよい。また、頭部３１、４１、５１は、本発明の矢印形状であって、多角形状の一例に相当するが、他の例として、図１１（ｂ）に示すような差込部９０であってもよい。この差込部９０は、頭部９１の先端９１ａが尖っており、頭部９１の首部９２の両側の辺９１ｂは、首部９２と垂直ではなく、首部９２との間で形成される角αが鋭角になるように配置されている。また、首部４２、６２、７２も正方形状、又は長方形状でなくてもよい。要するに、頭部４１の幅４１Ｌが、首部４２の幅４２Ｌよりも大きければよい。尚、頭部４１の幅４１Ｌは、差し込み部の抜け防止の観点から、２つの干渉部２４の間隔２３Ｌ（切り欠き部２３のスリット２１に沿った長さ）よりも長い方が好ましい。
【００５５】
（実施の形態２）
次に、本発明にかかる実施の形態２について説明する。本実施の形態２は、実施の形態１と基本的な構成は同じであるが、差込部が実施の形態１と反対に、端部に向いて形成されている。そのため本相違点を中心に説明する。
【００５６】
図１２は、本実施の形態２の包装部材１１００の展開図である。図１２に示すように、本実施の形態２の包装部材１１００は、載置部１と覆い部２、３、４、５を備えている。本実施の形態２の覆い部２には、実施の形態１のスリット形成部２０と同様のスリット形成部１０２０が形成されているが、図中において上下逆に配置されている。すなわち、切り欠き部１０２３がスリット１０２１の端部２ａ側に形成されており、スリット１０２１の両端からスリット１０２１と実質上垂直に、切り欠き部１０２３側に切り込み１０２２が形成されている。この切り欠き部１０２３及び切り込み１０２２によって干渉部１０２４が形成される。
【００５７】
又、覆い部４の差込部１０４０は、実施の形態１と異なり、その頭部１０４１が端部４ａ側に向くように形成されている。尚、首部１０４２の根本から、実施の形態１と同様に第１切り込み延長部１０４３が形成されており、この第１切り込み延長部１０４３の端から頭部１０４１側に向けて第２切り込み延長部１０４４が形成されている。すなわち、差込部１０４０、第１切り込み延長部１０４３、及び第２切り込み延長部１０４４が、実施の形態１とは図１２中において上下逆に形成されている。
【００５８】
又、覆い部４の右端４ｂ近傍に設けられているスリット形成部１０６０は、実施の形態１のスリット形成部６０の構成と左右逆に形成されており、左端４ｃ近傍に形成されているスリット形成部１０７０は、実施の形態１のスリット形成部７０の構成と左右逆に形成されている（図１参照）。
【００５９】
また、覆い部３、５に形成されている差込部１０３０、１０５０も実施の形態１の差込部３０、５０と左右反対に形成されており、それぞれ端部３ａ、５ａ側を向いている。
【００６０】
次に、本実施の形態２の包装部材１１００によって物品を包装する動作について説明する。
【００６１】
以上の構成の包装部材１１００によって物品を包装する際には、実施の形態１と同様に差込部１０４０がスリット１０２１に差し込まれて覆い部２と覆い部４で物品が覆われる。図１３は、差込部１０４０をスリット１０２１に差し込んだ状態を示す図である。これと同様に、差込部１０３０がスリット１０７１に差込まれ、差込部１０４０がスリット１０６１に差し込まれて物品を包装することが出来る。尚、図１３においても、差込部１０４０によって覆い部４に形成される切り欠き部分は、説明のために省略している。
【００６２】
図１４（ａ）は、図１３のＨＨ´間の断面模式図である。図１４（ｂ）は、（ａ）のＳ部拡大図である。尚、図１４では、説明のため、覆い部２、４の厚みが分厚く示されている。
【００６３】
また、図１５（ａ）は、差込部１０４０をスリット１０２１に差し込んだ際の位置関係を示す図である。尚、図１５では、説明のために、覆い部４の面については差込部１０４０、第１切り込み延長部１０４３、及び第２切り込み延長部１０４４以外については図示されていない。
【００６４】
ここで、実施の形態１における説明と同様に、物品を包装した状態では、シート部１０の弾性力によって覆い部４と覆い部２は、図１４（ａ）の矢印Ｆ方向に示すように、開く方向に引っ張られる。この状態のスリット１０２１と差込部１０４０の位置関係が図１５（ｂ）に示されている。覆い部４と覆い部２を矢印Ｆに従って開こうとした場合、差込部１０４０は、スリット１０２１に対して相対的に図１５（ａ）の矢印Ｐ方向に移動することになる。しかしながら、覆い部２が湾曲されているため、干渉部１０２４が覆い部２の湾曲面から起立している（図１４（ｂ）参照）。差込部１０４０がスリット１０２１から抜ける方向に移動すると、首部１０４２が切り欠き部１０２３内に入り込み、差込部１０４０の頭部１０４１の底辺１０４１ｂが２つの干渉部１０２４の根本に引っかかるため、差込部１０４０がスリット１０２１から抜けることが抑制される。
【００６５】
一方、図１４（ａ）に示す矢印Ｇに従って、覆い部４と覆い部２を更に重ねる方向に押した場合のスリット１０２１と差込部１０４０の位置関係が図１５（ｃ）に示されている。覆い部４と覆い部２を更に重ねようとした場合、差込部１０４０は、スリット１０２１に対して相対的に図１５（ａ）の矢印Ｑ方向に移動することになり、差込部１０４０はスリット１０２１内により深く差し込まれることになる。そして、スリット１０２１と第１切り込み延長部１０４３の縁同士が当接し、それ以上は、覆い部４と覆い部２を重ねることは出来なくなる。
【００６６】
すなわち、本実施の形態２の包装部材１１００では、実施の形態１の包装部材１００とは逆に、開く方向（矢印Ｆ）の際に、底辺１０４１ｂが干渉部１０２４と当接し、重ねる方向（矢印Ｇ）の際に、第１切り込み延長部１０４３とスリット１０２１の縁が違いに干渉することになる。
【００６７】
以上のように、本実施の形態２の包装部材１１００は、容易に包装することが出来、更に、その包装状態を保持することが出来る。
【００６８】
尚、本実施の形態２においても、実施の形態１での説明と同様に、切り欠き部及び干渉部が設けられていなくてもよく、第１切り込み延長部、第２切り込み延長部等が設けられていなくてもよい。また、差込部１０４０の形状も図１３で述べたのと同様に変更しても良い。
【００６９】
尚、上記実施の形態の包装部材１００、１１００に示すように、シート部１０の縁が、角が形成されないように丸められている方が、袋が破れにくいためより好ましい。
【００７０】
また、上記実施の形態の包装部材は、覆い部２、３、４、５を備えているが、例えば、覆い部２と覆い部４のみが設けられていてもよく、要するに、袋を突き破りやすい突起部分等を覆うことが出来さえすればよい。
【００７１】
また、スリット及び差込部の位置及び数は適宜変更しても良い。例えば、図１６の包装部材１２００の展開図に示すように、実施の形態１の包装部材１００の構成において、スリット形成部６０、７０と対向する覆い部２の位置にスリット形成部１２６０、１２７０を形成してもよい。この場合、覆い部２と覆い部４を重ねた後に、差込部３０は、２つのスリット６１とスリット１２６１の双方に差し込まれ、差込部５０は、２つのスリット７１とスリット１２７１の双方に差し込まれる。
【００７２】
また、例えば、図１７に示す包装部材１３００のように、実質上正方形状の載置部１´を有し、対向する覆い部２´と覆い部４´に、実施の形態１と同様の一組のスリット形成部２０と差込部４０を備え、対向する覆い部３´と覆い部５´にも、一組のスリット形成部２０と差込部４０を備える構成であってもよい。また、差込部４０には、第１切り込み延長部４３、及び第２切り込み延長部４４が形成されている。このような包装部材１３００によって物品を包装する際には、覆い部２´のスリット２１に覆い部４´の差込部４０が挿入され、覆い部５´のスリット２１に覆い部３´の差込部４０が挿入される。
【００７３】
また、上記実施の形態１、２の包装部材によって包装される物品として、トナーカートリッジを例に挙げたが、複写機などの画像形成装置に用いる感光体ドラムなどであってもよいし、百貨店等で購入した物品であってもよい。
【００７４】
また、上記実施の形態では、包装部材の材料としてＰＥＴが用いられているが、他の材料であってもよく、要するに本発明の袋状部材の一例の袋３００３よりも破れにくければよい。
【００７５】
また、袋に入れずに、箱などに梱包する場合であっても上記実施の形態の包装部材で覆うことによって、品物の突起によって箱が突き破られないように保護することが出来る。
【産業上の利用可能性】
【００７６】
本発明の包装部材は、容易に物品の包装をすることが可能な効果を有し、物品を袋などにいれて輸送する際に、袋が破れないようにするための中間の包装部材等として有用である。
【図面の簡単な説明】
【００７７】
【図１】本発明にかかる実施の形態１における包装部材１００の展開図
【図２（ａ）】本発明にかかる実施の形態１における包装部材１００の覆い部２の拡大図
【図２（ｂ）】本発明にかかる実施の形態１における包装部材１００の覆い部４の拡大図
【図２（ｃ）】本発明にかかる実施の形態１における包装部材１００の覆い部５の拡大図
【図２（ｄ）】本発明にかかる実施の形態１における包装部材１００の覆い部３の拡大図
【図３】本発明にかかる実施の形態１における包装部材１００に物品１０１を載置した状態を示す図
【図４（ａ）】本発明にかかる実施の形態１における包装部材１００で物品１０１を包装する動作を説明するために図
【図４（ｂ）】本発明にかかる実施の形態１における包装部材１００で物品１０１を包装する動作を説明するために図
【図５】本発明にかかる実施の形態１における包装部材１００で物品１０１を包装する動作を説明するために図
【図６】本発明にかかる実施の形態１における包装部材１００で物品１０１を包装した状態を示す図
【図７】（ａ）図６のＥＥ´間の断面模式図、（ｂ）（ａ）のＳ部拡大図、
【図８】（ａ）本発明にかかる実施の形態１におけるスリット２１と差込部４０の関係を示す図、（ｂ）包装状態におけるスリット２１と差込部４０の関係を示す図、（ｃ）覆い部２と覆い部４を重ねる方向に移動した場合におけるスリット２１と差込部４０の関係を示す図
【図９】本発明にかかる実施の形態１におけるスリット２１から差込部４０を引き抜く動作を説明するための図
【図１０】本発明にかかる実施の形態１におけるスリット２１から差込部４０を引き抜く動作を説明するためのＮＮ´間の断面模式図
【図１１】（ａ）本発明にかかる実施の形態の変形例の差込部８０を示す図、（ｂ）本発明にかかる実施の形態の変形例の差込部９０を示す図
【図１２】本発明にかかる実施の形態２における包装部材１００の展開図
【図１３】本発明にかかる実施の形態１における包装部材１００で物品１０１を包装する動作を説明するために図
【図１４】（ａ）図１３のＨＨ´断面図、（ｂ）（ａ）のＳ部拡大図、
【図１５】（ａ）本発明にかかる実施の形態２におけるスリット１０２１と差込部１０４０の関係を示す図、（ｂ）包装状態におけるスリット１０２１と差込部１０４０の関係を示す図、（ｃ）覆い部２と覆い部４を重ねる方向に移動した場合におけるスリット１０２１と差込部１０４０の関係を示す図
【図１６】本発明にかかる実施の形態の変形例の包装部材１２００の展開図
【図１７】本発明にかかる実施の形態の変形例の包装部材２１００の展開図
【図１８】（ａ）〜（ｄ）従来の物品の包装を説明するための図
【符号の説明】
【００７８】
１  載置部
２、３、４、５  覆い部
１０  シート部
１２、１４  長辺
１３、１５  短辺
２０、６０、７０  スリット形成部
２１、６１、７１  スリット
２２、６２、７２  切り込み
２３、６３、７３  切り欠き部
２４、６４、７４  干渉部
３０、４０、５０  差込部
３１、４１、５１  頭部
３２、４２、５２  首部
３３、４３、５３  第１延長切り込み部
３４、４４、５４  第２延長切り込み部
１００、１１００、１２００、１３００  包装部材
【図１】
2010052808.tif 000003
【図２（ａ）】
2010052808.tif 000004
【図２（ｂ）】
2010052808.tif 000005
【図２（ｃ）】
2010052808.tif 000006
【図２（ｄ）】
2010052808.tif 000007
【図３】
2010052808.tif 000008
【図４（ａ）】
2010052808.tif 000009
【図４（ｂ）】
2010052808.tif 000010
【図５】
2010052808.tif 000011
【図６】
2010052808.tif 000012
【図７】
2010052808.tif 000013
【図８】
2010052808.tif 000014
【図９】
2010052808.tif 000015
【図１０】
2010052808.tif 000016
【図１１】
2010052808.tif 000017
【図１２】
2010052808.tif 000018
【図１３】
2010052808.tif 000019
【図１４】
2010052808.tif 000020
【図１５】
2010052808.tif 000021
【図１６】
2010052808.tif 000022
【図１７】
2010052808.tif 000023
【図１８】
2010052808.tif 000024